(57)【要約】ローカルエリアネットワークのデータ線路を介して、端末装置の給電用の特にスペース節約及びコスト上有効な手段が、電圧源（ＳＱ）によって利用される給電電圧を、各々、対の２つのデータ線路間に設けられた２つの分圧器の各中心点間でデカップリング及び/又はカップリング（入力及び/又は出力）することを特徴とする、ローカルエリアネットワーク（ＬＡＮ）の２つのデータ線路対を介して、カレントシンク（ＥＤ）に給電するための方法及び装置によって記載されている。
2006521031.tif 000002
【特許請求の範囲】
【請求項１】
ローカルエリアネットワーク（ＬＡＮ）の２つのデータ線路対を介して、カレントシンク（ＥＤ）に給電するための方法において、
電圧源（ＳＱ）によって利用される給電電圧を、各々、対の２つのデータ線路間に設けられた２つの分圧器の各中心点間に入力（ｉｎｊｅｃｔ：Ｅｉｎｋｏｐｐｌｕｎｇ）することを特徴とする
カレントシンク（ＥＤ）に給電するための方法。
【請求項２】
給電電圧を、各々、対の両データ線路間に設けられた２つの分圧器間の中点で出力（ｏｕｔｐｕｔ：Ａｕｓｋｏｐｐｌｕｎｇ）する請求項１記載のカレントシンク（ＥＤ）に給電するための方法。
【請求項３】
分圧器として、線路端子に関する各実抵抗（Ｒ）を使う請求項１又は２記載のカレントシンク（ＥＤ）に給電するための方法。
【請求項４】
使用される各抵抗（Ｒ）を同じ大きさにする請求項３記載のカレントシンク（ＥＤ）に給電するための方法。
【請求項５】
中間点として、２つの実抵抗（Ｒ）間の点を使う請求項１から４迄の何れか１記載のカレントシンク（ＥＤ）に給電するための方法。
【請求項６】
分圧器として、電子構成素子及び／又は受動構成素子を使う請求項１から５迄の何れか１記載のカレントシンク（ＥＤ）に給電するための方法。
【請求項７】
ローカルエリアネットワーク（ＬＡＮ）の２つのデータ線路対を介しての、少なくとも１つのカレントシンク（ＥＤ）の給電装置において、
２つの分圧器と、中点とを有しており、
前記分圧器は、各々、対の２つのデータ線路の間に設けられており、
前記中点は、電圧源（ＳＱ）によって利用される給電電圧の入力のために、前記両分圧器間に設けられていることを特徴とする給電装置。
【請求項８】
各々、対の両データ線路間に設けられた両分圧器、及び、電圧源（ＳＱ）によって利用される給電電圧の出力のために、両分圧器間に中点が設けられている請求項７記載の給電装置。
【発明の詳細な説明】
【技術分野】
【０００１】
本発明は、ローカルエリアネットワーク（ＬＡＮ）の２つのデータ線路対を介して、カレントシンク（ＥＤ）に給電するための方法及び装置に関する。
【０００２】
例えば、４線データ線路（ツィストペア線）を介して物理的にデータ伝送されるローカルエリアネットワーク（Ｌｏｃａｌ  Ａｒｅａ  Ｎｅｔｗｏｒｋｓ＝ＬＡＮ）で、端末装置の給電は、一般的に付加的な線路を介して行われる。所定のインストレーションのために、及び/又は、ケーブル設備の利用を改善するために、有利に、端末装置から（４本の）データ線路を介して、つまり、付加的な給電線を用いずに、端末装置の給電が行われる。この方式は、ＬＡＮに対して”ＩＥＥＥ  ｄｒａｆｔ  Ｐ  ８０２．３ａｆ”により標準化されている。例えば、ＬＡＮを介してネットワーク構成されたコンピュータワークステーションは、ＬＡＮから供給されるＩＰ陸上通信線網の端末装置によって補給することができ、その際、既存の８線標準線路（ツィストペア線）を変更又は拡張する必要はない。
【０００３】
データ線路を介しての給電時、一般的に、重信給電回路が使用される。ここでは、給電電圧は、有効信号の変成器の中間タップに低抵抗で給電される。この際、変成器の構成は、給電直流電流により、トランスのコアが飽和状態とならないようにする必要がある。トランスのコアが飽和状態とならないようにされている場合、低抵抗給電電圧の入力（ｉｎｊｅｃｔｉｏｎ）により、有効信号が作用を受けないようになる。その理由は、有効信号は、変成器の中間タップ、直流電圧の給電点で、正確に取り出されるからである（ブリッジ回路。有効信号は、ここでは、各々の変成器の２次側（Ｒｘ，Ｔｘ）で入力及び/又は出力される）。重信回路用には、他の電子標準構成素子に比べて、所要スペースが比較的大きく、殊に、構造高さが大きく、コストが高い変成器が使用されている。
【０００４】
本発明の課題は、ローカルエリアネットワークでの給電電圧の入力（ｉｎｊｅｃｔｉｎｇ）及び/又は出力（ｏｕｔｐｕｔｔｉｎｇ）用のスペース節約及びコスト上有効な手段を提供することにある。
【０００５】
この課題は、本発明によると、各独立請求項記載の給電方法及び給電装置により解決される。本発明の実施例は、従属請求項に記載されている。本発明の核心的技術思想は、電源によって利用される給電電圧が、対の２つのデータ線路間に設けられている２つの分圧器の中間点で給電されるという点にある。この本発明の利点は、ローカルエリアネットワーク内での給電電圧の入力用の非常に簡単且つコスト上有利な解決手段であるということである。
【０００６】
以下、本発明について図示の実施例を用いて詳細に説明する。その際：
図１は、従来技術の重信回路を示す図、
図２は、給電電圧の入力及び/又は出力用の本発明の回路装置を示す図
である。
【０００７】
【数１】
2006521031.tif 000003
【０００８】
図２は、給電電圧の入力及び/又は出力用の本発明の回路装置を示す。データ線路を介して給電する際、一方では、サーバ側（ＰＳＥ、パワー・ソーシング・イクィップメント）での給電電圧入力と、端末装置側（ＰＤ、パワード・デバイス）での給電電圧出力とは区別される。両側とも、原理的には同じ形式の作動特性である。それ故、以下の説明では、給電側（ＰＳＥ）だけ説明する。必要な場合に限って、端末装置側（ＰＤ）に言及する。本発明の解決手段では、給電電圧の入力及び出力は、実抵抗Ｒを介して行われる。この抵抗Ｒの役割は、例えば、給電側（ＰＳＥ）で、低抵抗電圧源ＰＳＥの給電電圧が、有効信号が作用を受けないように、ローカルエリアネットワーク（ＬＡＮ）の４線データ線路内に給電される。４線作動では、Ｔｘは、データ線路の送信方向を示し、Ｒｘは、データ線路の受信方向を示す。有効信号は、各データ線路対で、結合コンデンサを介して給電される。給電電圧の入力乃至出力用の回路装置は、原理的には、種々異なる電子的及び受動の構成素子から構成することができる。端末装置（ボルテージシンク）ＥＤで直流電力を出力する際の問題点は、原理的には同じである。端末装置ＥＤは、例えば、陸上通信線網の端末装置（電話）、無線ＬＡＮ基地局等である。最近の、ツィストペア線ケーブルを用いたローカルエリアネットワーク（ＬＡＮ）（例えば、イーサネット）は、たいてい、スター構造を有しているので、データ線路の交流信号終端のために初めと終わりに各々１００Ω抵抗Ｒが設けられている。これは、本発明によると、給電のために以下のやり方で利用される：１００Ωの抵抗Ｒを、各々２ｘ５０Ωの抵抗Ｒに分割することによって、この分圧器の中点には、信号が生じなくなる。分圧器の抵抗Ｒは、直列接続されている。従って、分圧器の中点では、信号の影響を受けずに、給電電圧を出力することができる。
【図面の簡単な説明】
【０００９】
【図１】従来技術の重信回路を示す図
【図２】給電電圧の入力及び/又は出力用の本発明の回路装置を示す図
【図１】
2006521031.tif 000004
【図２】
2006521031.tif 000005
【手続補正書】
【提出日】平成16年10月20日(2004.10.20)
【手続補正１】
【補正対象書類名】明細書
【補正対象項目名】０００４
【補正方法】変更
【補正の内容】
【０００４】
ヨーロッパ特許公開第１０８５６７４号公報には、データの伝送のためにも、ネットワークを介してのエネルギ伝送のためにも設けられている、少なくとも２つの線路及びネットワーク加入者のあるネットワークが記載されている。ネットワークの両線路は、各ネットワーク加入者間のデータ伝送のためにも、並びに、電源から各ネットワーク加入者へのエネルギ伝送のためにも構成されている。データは、対称的且つディファレンシャルに両線路を介して伝送される。その際、電源の一方の電極は、両線路と接続されており、ネットワーク加入者は、ネットワークから切り離された別の電気接続を介して電源の他方の電極と接続されている。ネットワーク加入者は、ネットワークの両線路を介してエネルギ伝送の対称的な出力を行う。両線路は、相互に絶縁されている。
本発明の課題は、ローカルエリアネットワークでの給電電圧の入力（ｉｎｊｅｃｔｉｎｇ）及び/又は出力（ｏｕｔｐｕｔｔｉｎｇ）用のスペース節約及びコスト上有効な手段を提供することにある。
【手続補正２】
【補正対象書類名】特許請求の範囲
【補正対象項目名】全文
【補正方法】変更
【補正の内容】
【特許請求の範囲】
【請求項１】
ローカルエリアネットワーク（ＬＡＮ）の２つのデータ線路対を介して、カレントシンク（ＥＤ）に給電するための方法において、
電圧源（ＳＱ）によって利用される給電電圧を、各々、対の２つのデータ線路間に設けられた２つの分圧器の各中心点間に入力（ｉｎｊｅｃｔ：Ｅｉｎｋｏｐｐｌｕｎｇ）し、
前記分圧器として、線路端子に関する各実抵抗（Ｒ）を使う
ことを特徴とするカレントシンク（ＥＤ）に給電するための方法。
【請求項２】
給電電圧を、各々、対の両データ線路間に設けられた２つの分圧器間の中点で出力（ｏｕｔｐｕｔ：Ａｕｓｋｏｐｐｌｕｎｇ）する請求項１記載のカレントシンク（ＥＤ）に給電するための方法。
【請求項３】
中間点として、２つの実抵抗（Ｒ）間の点を使う請求項１又は２記載のカレントシンク（ＥＤ）に給電するための方法。
【請求項４】
分圧器として、電子構成素子及び／又は受動構成素子を使う請求項１から３迄の何れか１記載のカレントシンク（ＥＤ）に給電するための方法。
【請求項５】
ローカルエリアネットワーク（ＬＡＮ）の２つのデータ線路対を介しての、少なくとも１つのカレントシンク（ＥＤ）の給電装置において、
２つの分圧器と、中点とを有しており、
前記分圧器は、各々、対の２つのデータ線路の間に設けられており、
前記中点は、電圧源（ＳＱ）によって利用される給電電圧の入力のために、前記両分圧器間に設けられており、
２つの同じ大きさの各実抵抗（Ｒ）を、線路端子に関して前記分圧器として使う
ことを特徴とする給電装置。
【請求項６】
各々、対の両データ線路間に設けられた両分圧器、及び、電圧源（ＳＱ）によって利用される給電電圧の出力のために、両分圧器間に中点が設けられている請求項５記載の給電装置。
【国際調査報告】
2006521031.tif 000006
2006521031.tif 000007
2006521031.tif 000008
2006521031.tif 000009
2006521031.tif 000010
2006521031.tif 000011